(57)【要約】      （修正有）【課題】簡易な操作でゲーム機本体に取り付けることができ、場所を選ばずゲーム機が使用できるようにする電子ゲーム機用の画像表示装置を提供する。【解決手段】画像表示本体と、該画像表示装置３０の底面側に設けられ、かつ該画像表示装置に連結するベースとによって構成する。【選択図】図２
0003131351.tif 000002
【実用新案登録請求の範囲】
【請求項１】
ゲーム機用画像表示装置であって、ゲーム機本体に設けられることを特徴とするゲーム機用画像表示装置。
【請求項２】
前記ゲーム機がＸＢＯＸ３６０（登録商標）、ＰｌａｙＳｔａｔｉｏｎ２（登録商標）、或いはＮＩＮＴＥＮＤＯ６４（登録商標）であることを特徴とする請求項１に記載のゲーム機用画像表示装置。
【請求項３】
前記ゲーム機用画像表示装置が液晶画像表示装置であることを特徴とする請求項１に記載のゲーム機用画像表示装置。
【請求項４】
前記ゲーム機用画像表示装置がゲーム機本体上に軸支され、回動自在に設けられることを特徴とする請求項１に記載のゲーム機用画像表示装置。
【請求項５】
前記ゲーム機用画像表示装置がゲーム機本体の後端部に軸支されることを特徴とする請求項４に記載のゲーム機用画像表示装置。
【請求項６】
前記ゲーム機用画像表示装置が手前に倒れて収納された状態となり、かつ該ゲーム機用画像表示装置の表示画面が保護されることを特徴とする請求項５に記載のゲーム機用画像表示装置。
【考案の詳細な説明】
【技術分野】
【０００１】
本考案は、携帯式ディスプレイ装置に関するものであって、特に、置き場所に困らず収納に便利な電子ゲーム機用の携帯式ディスプレイ装置に関するものである。
【背景技術】
【０００２】
一般消費者向けコンピュータゲームの機器であって、通常テレビゲームとも称するゲーム機は、子供、青少年に人気があるとともに、多くの大人をも魅了している。係るゲーム機の製造業者は、ユーザーのニーズを満足させるために、常に新しい機種を開発している。半導体技術の高度な発展により、時期世代の新規なゲーム機は、より高い機能をそなえるようになった。
【０００３】
新世代ゲーム機について、目下市場ではマイクロソフト社、ソニー株式会社、任天堂株式会社のゲーム機が注目を浴びている。注目を浴びている製品の一つである、マイクロソフト社のＸＢＯＸ３６０（登録商標）に関して述べると、全体のデータ処理速度と機能が明らかに向上し、ユーザーが求める高画質と、且つマルチメディアの高速処理製といったニーズに対応することができる。更に、ＸＢＯＸ３６０は音楽再生、インターネットへのアクセス、データ処理、データの演算などの機能を提供でき、ユーザーはモバイルタイプの音楽再生装置やデジタルカメラに接続して使用することができ、更には家庭用パーソナルコンピュータや、居間にあるテレビジョンを利用して各種の映像メディアを再生して視聴型エンターテイメントを充分に享受することができる。
【０００４】
言い換えると、新生代のゲーム機は既に家庭内の娯楽の中心的存在となるまで発展を遂げている。しかし、この種のゲーム機は通常、テレビの画像表示画面やコンピュータの画像表示と組み合わせることにより画像を再生するため、使用する地点やスペースが固定されてしまう。例えば、テレビやコンピュータのある寝室や今に仕様場所が限られる。また、テレビ、コンピュータの画像表示装置は体積が極めて大きいため、空間を占めるのみならず、随時搬送することが出来ず、不便である。
【考案の開示】
【考案が解決しようとする課題】
【０００５】
本考案はゲーム機本体に取り付けることができ、使用する場合に空間を占めることなく、収納にも便利なゲーム機用の画像表示装置を提供することを課題とする。
【課題を解決するための手段】
【０００６】
そこで、本考案者は従来の技術に見られる欠点に鑑み鋭意研究を重ねた結果、画像表示装置本体を直接ゲーム機本体に取り付けるゲーム機用画像表示装置によって課題を解決できる点に着眼し、係る知見に基づいて本考案を完成させた。
【０００７】
以下、この考案について具体的に説明する。
第１考案のゲーム機用画像表示装置は、ゲーム機用画像表示装置であって、ゲーム機本体に設けられる。
【０００８】
第２考案のゲーム機用画像表示装置は、第１考案におけるゲーム機がＸＢＯＸ３６０（登録商標）、ＰｌａｙＳｔａｔｉｏｎ２（登録商標）、或いはＮＩＮＴＥＮＤＯ６４（登録商標）である。
【０００９】
第３考案のゲーム機用画像表示装置は、第１考案におけるゲーム機用画像表示装置が液晶画像表示装置である。
【００１０】
第４考案の機用画像表示装置は、第１考案における携帯式ディスプレイがゲーム機本体上に軸支され、回動自在に設けられる。
【００１１】
第５考案のゲーム機用画像表示装置は、第４考案におけるゲーム機用画像表示装置がゲーム機本体の後端部に軸支される。
【００１２】
第６考案のゲーム機用画像表示装置は、第５考案におけるゲーム機用画像表示装置が手前に倒れて収納された状態となり、かつ該ゲーム機用画像表示装置の表示画面が保護される。
【考案の効果】
【００１３】
この考案による画像表示装置は、ゲーム機本体に着脱することができ、画像表示装置の収納、携帯に便利であるとともに、ゲーム機を使用する場所が制限を受けることがなくなり、場所を選ばず随時ゲームを楽しむことができるようになるという利点を有する。
【考案を実施するための最良の形態】
【００１４】
この考案は、ゲーム機用画像表示装置を提供するものであって、画像表示本体と、該画像表示装置の底面側に設けられ、かつ該画像表示装置に連結するベースとによって構成し、場所を選ばずゲーム機を利用できるという効果を達成する。かかるゲーム機用画像表示装置の構造と特徴を詳述するために、具体的な実施例を挙げ、図示を参照にして以下に詳述する。
【００１５】
図１に本考案によるゲーム機用画像表示装置の構成を開示する。即ち、この考案によるゲーム機用画像表示装置は、ゲーム機１０上面に、任意の連結方式で画像表示装置２０を設ける。言い換えれば、ゲーム機１０と画像表示装置２０とを整合することによって、画像表示装置２０とが占める空間を縮小し、かつ場所の制限を受けることなくゲーム機１０を使用できるようにするものである。
【００１６】
以下にＸＢＯＸ３６０、ＰｌａｙＳｔａｔｉｏｎ２、及びＮＩＮＴＥＮＤＯ６４のゲーム機における個別応用例を用いて本考案の具体的実施形態を説明する。
【００１７】
図２には、ＸＢＯＸ３６０における本考案のゲーム機用画像表示装置を開示する。本実施例においてはゲーム機４０がＸＢＯＸ３６０であって、ゲーム機４０の上に携帯式ディスプレイ３０の底面が軸支される。即ち、画像表示装置３０はゲーム機４０に回動自在に設けられる。
【００１８】
また、表示装置本体３０は、電磁波の輻射が低く空間を占めることがなく、また、省電などの特性を有する液晶表示装置を用いる。その外観とゲーム機４０両者が１つに合体し、整った美感を呈している。
【００１９】
また、画像表示装置３０の表示画面３１はゲーム機４０の後端部に設けられ、表示画面３１を前方向に倒して収納した状態とすることができ、ディスプレイ画面が予期せず損傷をけることなく保護することができる。
【００２０】
また、ゲーム機４０であるＸＢＯＸ３６０の上面には放熱孔４１を設けてあるため画像表示装置３０はゲーム機４０の後端部に設ける。したがって、ゲーム機４０の放熱及び機能に影響を及ぼさない。
【００２１】
図３と図４には、本考案の提供するゲーム機用画像表示装置の、ＰｌａｙＳｔａｔｉｏｎ２、及びＮＩＮＴＥＮＤＯ６４における応用の実施例を開示する。ＸＢＯＸ３６０における実施例と同様に、ゲーム機５０であるＰｌａｙＳｔａｔｉｏｎ２、ゲーム機６０であるＮＩＮＴＥＮＤＯ６４の後端に画像表示装置３０の底面を軸支する。
【００２２】
また、画像表示装置３０はゲーム機５０、ゲーム機６０上に回動自在に設けられ、手前に倒して収納した状態とする。この場合、画像表示装置３０とゲーム機５０或いはゲーム機６０が一体を成し、美感を呈し、かつ収納に便利である。また、ディスプレイ画面が予期せず損傷をけることなく保護することができる。
【００２３】
当然のことながら、本考案の携帯式ディスプレイ装置は、例えば溶接、鋲着などの方式で連結してもよい。かかる形式であっても、本考案の範囲に含まれるものとする。
【００２４】
上述したとおり、本考案はゲーム機に取り付ける画像表示装置を提供するものであって、本考案によれば、場所を選ばず随時ゲーム機を使用することができる。即ち。ベッドテレビジョン、コンピュータディスプレイなどに接続する必要がなく、また、これら外部接続装置の膨大な体積の制限を受けることもなく、自動車の中に持ち込むこともでき、その他の音声・映像娯楽機能を享受することもできる。本考案のゲーム機用携帯式画像表示装置の形態はシンプルで、容易に収納でき、ユーザーにとって非常に便利である。
【００２５】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２６】
【図１】本考案のゲーム機用画像表示装置の構成を示したブロック図である。
【図２】本考案のゲーム機用画像表示装置をＸＢＯＸ３６０に応用した態様を示した説明図である。
【図３】本考案のゲーム機用画像表示装置をＰｌａｙＳｔａｔｉｏｎ２に応用した態様を示した説明図である。
【図４】本考案のゲーム機用画像表示装置をＮＩＮＴＥＮＤＯ６４に応用した態様を示した説明図である。
【符号の説明】
【００２７】
１０・・・ゲーム機
２０・・・ゲーム機用画像表示装置
３０・・・画像表示装置
３１・・・表示画面
４０、５０、６０・・・ゲーム機
４１・・・放熱孔
【図１】
0003131351.tif 000003
【図２】
0003131351.tif 000004
【図３】
0003131351.tif 000005
【図４】
0003131351.tif 000006
【手続補正書】
【提出日】平成19年2月16日(2007.2.16)
【手続補正１】
【補正対象書類名】実用新案登録請求の範囲
【補正対象項目名】全文
【補正方法】変更
【補正の内容】
【実用新案登録請求の範囲】
【請求項１】
ゲーム機用画像表示装置であって、前記ゲーム機用画像表示装置がゲーム機本体上に軸支され、回動自在に設けられることを特徴とするゲーム機用画像表示装置。
【請求項２】
前記ゲーム機がＸＢＯＸ３６０（登録商標）、ＰｌａｙＳｔａｔｉｏｎ２（登録商標）、或いはＮＩＮＴＥＮＤＯ６４（登録商標）であることを特徴とする請求項１に記載のゲーム機用画像表示装置。
【請求項３】
前記ゲーム機用画像表示装置が液晶画像表示装置であることを特徴とする請求項１に記載のゲーム機用画像表示装置。
【請求項４】
前記ゲーム機用画像表示装置がゲーム機本体の後端部に軸支されることを特徴とする請求項１に記載のゲーム機用画像表示装置。
【請求項５】
前記ゲーム機用画像表示装置が手前に倒れて収納された状態となり、かつ該ゲーム機用画像表示装置の表示画面が保護されることを特徴とする請求項４に記載のゲーム機用画像表示装置。
【手続補正２】
【補正対象書類名】明細書
【補正対象項目名】０００７
【補正方法】変更
【補正の内容】
【０００７】
以下、この考案について具体的に説明する。
第１考案のゲーム機用画像表示装置は、ゲーム機用画像表示装置であって、前記ゲーム機用画像表示装置がゲーム機本体上に軸支され、回動自在に設けられる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
第４考案のゲーム機用画像表示装置は、第１考案におけるゲーム機用画像表示装置がゲーム機本体の後端部に軸支される。
【手続補正５】
【補正対象書類名】明細書
【補正対象項目名】００１２
【補正方法】変更
【補正の内容】
【００１２】
第５考案のゲーム機用画像表示装置は、第４考案におけるゲーム機用画像表示装置が手前に倒れて収納された状態となり、かつ該ゲーム機用画像表示装置の表示画面が保護される。